(57)【特許請求の範囲】
【請求項１】
軸筒内でスライドするスライド駒と、前記スライド駒から前方へ突出するリフィール支持軸と、前記リフィール支持軸に環状に装着されて前記リフィール支持軸及び前記スライド駒を軸筒後方へ付勢するコイルバネと、軸筒内で前記スライド駒及び前記リフィール支持軸を前後方向へ案内するガイド中駒とを備え、前記ガイド中駒に相対する回転カムの回転により前記スライド駒及び前記リフィール支持軸を前進させて、前記リフィール支持軸に支持されたリフィールの筆記部を軸筒前端から突出させるようにした回転繰出し式筆記具において、
前記スライド駒と前記リフィール支持軸と前記コイルバネとを一体的な支持軸ユニットとして構成し、
前記ガイド中駒には、軸筒軸方向に対し略直交する方向から前記支持軸ユニットを挿入可能な凹状のガイド溝が設けられ、
前記ガイド溝は、前記スライド駒及び前記リフィール支持軸を進退可能に嵌め合わせるとともに、該ガイド溝内の前端側の係止突起により前記コイルバネの前端縁を係止し、
前記リフィール支持軸は、前記ガイド溝内の前記係止突起を有する部分に挿通される円柱状の軸本体を有し、
前記係止突起を有する前記部分は、軸筒軸方向に対し略直交する方向から挿入される前記軸本体により弾性的に押し広げられるように、開口縁側の内幅寸法がその奥側の内幅寸法よりも小さく且つ前記軸本体の外径よりも小さい横断面凹状に形成されていることを特徴とする回転繰出し式筆記具。
【請求項２】
前記リフィール支持軸の前記軸本体よりも前端側には、環状鍔部と、該環状鍔部よりもさらに前端側で前記リフィールの後端部に接続されるリフィール接続部とが設けられ、
前記ガイド溝は、前記支持軸ユニットにおける前記環状鍔部よりも後側の部分を軸筒軸方向に対し略直交する方向から挿入するように形成されていることを特徴とする請求項１記載の回転繰出し式筆記具。
【請求項３】
前記ガイド中駒及び前記支持軸ユニットが、一体ユニット状に構成されるようにしたことを特徴とする請求項１又は２記載の回転繰出し式筆記具。
【発明の詳細な説明】
【技術分野】
【０００１】
本発明は、回転カムを回転させる操作によりリフィール前端の筆記部を出没させるようにした回転繰出し式筆記具に関するものである。
【背景技術】
【０００２】
従来、この種の筆記具には、例えば特許文献１に記載されるように、軸筒（１０）と、該軸筒内で前後方向へスライドするスライド駒（２１）と、前記スライド駒から前方へ突出するリフィール支持軸（スペーサ部材２１ｃ）と、該リフィール支持軸の前端側に接続されたリフィール（３１，３２）と、前記リフィール支持軸に環状に装着されて前記リフィール支持軸及び前記スライド駒を軸筒後方へ付勢するコイルバネ（付勢部材４０）と、軸筒内で前記スライド駒及び前記リフィール支持軸を前後方向へ案内するガイド中駒（スペーサ部材２１ｃ周りの部材）と、軸筒内で前記ガイド中駒に相対し回動する傾斜面を前記スライド駒に摺接させて該スライド駒を前進させる回転カム（５０）とを備えた回転繰出し式筆記具がある。
この従来技術において、前記スライド駒は丸孔を有しており、前記リフィール支持軸は、前記丸孔に挿入され該丸孔内で乗り越え嵌合して固定されていた。また、前記ガイド中駒は、前記リフィール支持軸を前方から挿入するための有底孔を有するとともに、該有底孔の後部側の側壁に、前記スライド駒を側方へ突出させるための窓孔を有していた。
【０００３】
ところで、前記従来の回転繰出し式筆記具の組立方法では、前記ガイド中駒の前記有底孔に、前記スライド駒及び前記コイルバネを予め装着し、この状態を保持したまま、前記有底孔に対し前方から前記リフィール支持軸を挿入して、該リフィール支持軸の後端側を、前記コイルバネに挿入した後、さらに前記スライド駒の丸孔に挿入し該丸孔内で乗り越え嵌合させていた。
このため、前記ガイド中駒に前記スライド駒及び前記コイルバネを装着した状態を保持するのが困難であったり、前記リフィール支持軸の後端側を前記コイルバネや前記スライド駒に挿入する作業が困難であったり等、組立作業上の困難を有していた。特に筆記具全体をより細身化する場合には、前記組立作業上の困難が顕著となるため、改善が求められる。
また、前記リフィール支持軸を、スライド駒の丸孔内で乗り越え嵌合する際に、スライド駒が弾性的に膨張するため、前記ガイド中駒における前記有底孔の内径を予め大き目に設定する必要があり、このことも筆記具全体の細身化を妨げる一因となっていた。
【先行技術文献】
【特許文献】
【０００４】
【特許文献１】特開２００９−１５４４５８号公報
【発明の概要】
【発明が解決しようとする課題】
【０００５】
本発明は上記従来事情に鑑みてなされたものであり、その課題とする処は、組立性を向上するとともに細身化が可能な回転繰出し式筆記具を提供することにある。
【課題を解決するための手段】
【０００６】
上記課題を解決するための一手段は、軸筒内でスライドするスライド駒と、前記スライド駒から前方へ突出するリフィール支持軸と、前記リフィール支持軸に環状に装着されて前記リフィール支持軸及び前記スライド駒を軸筒後方へ付勢するコイルバネと、軸筒内で前記スライド駒及び前記リフィール支持軸を前後方向へ案内するガイド中駒とを備え、前記ガイド中駒に相対する回転カムの回転により前記スライド駒及び前記リフィール支持軸を前進させて、前記リフィール支持軸に支持されたリフィールの筆記部を軸筒前端から突出させるようにした回転繰出し式筆記具において、前記スライド駒と前記リフィール支持軸と前記コイルバネとを一体的な支持軸ユニットとして構成し、前記ガイド中駒には、軸筒軸方向に対し略直交する方向から前記支持軸ユニットを挿入可能な凹状のガイド溝が設けられ、前記ガイド溝は、前記スライド駒及び前記リフィール支持軸を進退可能に嵌め合わせるとともに、該ガイド溝内の前端側の係止突起により前記コイルバネの前端縁を係止し、前記リフィール支持軸は、前記ガイド溝内の前記係止突起を有する部分に挿通される円柱状の軸本体を有し、前記係止突起を有する前記部分は、軸筒軸方向に対し略直交する方向から挿入される前記軸本体により弾性的に押し広げられるように、開口縁側の内幅寸法がその奥側の内幅寸法よりも小さく且つ前記軸本体の外径よりも小さい横断面凹状に形成されていることを特徴とする。
【発明の効果】
【０００７】
本発明は、以上説明したように構成されているので、組立性を向上するとともに当該回転繰出し式筆記具の細身化も可能になる。
【図面の簡単な説明】
【０００８】
【図１】本発明に係る回転繰出し式筆記具の一例を示す内部構造図である。
【図２】リフィール支持軸の一例を示す側面図である。
【図３】スライド駒の一例を示し、（ａ）は側面図、（ｂ）は（ａ）に対する左側面図、（ｃ）は（ａ）に対する上面図、（ｄ）は（ａ）に対する下面図である。
【図４】リフィール支持軸に対しスライド駒を嵌め合せようとしている状態を示す側面図である。
【図５】図４における(V)−(V)線に沿う断面図であり、（ａ）と（ｂ）はリフィール支持軸にスライド駒を装着する前と後の状態を示す。
【図６】ガイド中駒の一例を示す側面図である。
【図７】同ガイド中駒を前方から視た図である。
【図８】図６における(VIII)‐(VIII)線に沿う断面図である。
【図９】図６における(IX)‐(IX)線に沿う断面図である。
【図１０】ガイド中駒に対し支持軸ユニットを装着しようとしている状態を示し、ガイド中駒は図６における(X)‐(X)線断面である。
【図１１】回転カムの一例を示す側面図である。
【図１２】図１１における(XII)‐(XII)線に沿う断面図である。
【発明を実施するための形態】
【０００９】
本実施の形態の第一の特徴は、軸筒内でスライドするスライド駒と、前記スライド駒から前方へ突出するリフィール支持軸と、前記リフィール支持軸に環状に装着されて前記リフィール支持軸及び前記スライド駒を軸筒後方へ付勢するコイルバネと、軸筒内で前記スライド駒及び前記リフィール支持軸を前後方向へ案内するガイド中駒とを備え、前記ガイド中駒に相対する回転カムの回転により前記スライド駒及び前記リフィール支持軸を前進させて、前記リフィール支持軸に支持されたリフィールの筆記部を軸筒前端から突出させるようにした回転繰出し式筆記具において、前記スライド駒と前記リフィール支持軸と前記コイルバネとを一体的な支持軸ユニットとして構成し、前記ガイド中駒には、軸筒軸方向に対し略直交する方向から前記支持軸ユニットを挿入可能な凹状のガイド溝が設けられ、前記ガイド溝は、前記スライド駒及び前記リフィール支持軸を進退可能に嵌め合わせるとともに、該ガイド溝内の前端側の係止突起により前記コイルバネの前端縁を係止している。
この構成によれば、ガイド中駒のガイド溝に対し、軸筒軸方向に対する略直交方向から支持軸ユニットを組付けることができ、組立性が良好な上、比較的細身な構成にすることができる。
【００１０】
第二の特徴として、より組立性を向上するために、前記リフィール支持軸の前端側には、前記リフィールの後端部に接続するためのリフィール接続部が設けられ、前記ガイド溝は、前記支持軸ユニットにおける前記リフィール接続部よりも後側の部分を軸筒軸方向に対し略直交する方向から挿入するように形成されている。
【００１１】
第三の特徴としては、より組立性を向上するために、軸筒軸方向に対する略直交方向から前記支持軸ユニットを前記ガイド溝に挿入する際に、前記ガイド溝が前記リフィール支持軸により弾性的に押し広げられて、前記支持軸ユニットが前記ガイド溝に嵌め合せられるようにすることで、前記ガイド中駒及び前記支持軸ユニットが、一体ユニット状に構成されるようにした。
【００１２】
また、以下の実施例では、前記ガイド溝に対し略直交する方向側から前記支持軸ユニットを嵌め合わせる工程を含む回転繰出し式筆記具の製造方法も開示している。
【実施例】
【００１３】
次に、上記特徴を有する好ましい実施例を、図面に基づいて詳細に説明する。
なお、本明細書中、「前方」とは、筆記部（ボールペンチップ４２）の先端方向を意味し、「後方」とは、その逆方向を意味する。また、「径外方向」とは、筆記具の軸筒の径方向において中心部から離れる方向を意味し、「径内方向」とは、その逆方向を意味する。
【００１４】
図１は、本発明に係る回転繰出し式筆記具の一例を示す。
この回転繰出し式筆記具Ａは、軸筒１０と、該軸筒１０内で前後方向へスライドするスライド駒２０と、スライド駒２０の前端側に接続されたリフィール支持軸３０と、該リフィール支持軸３０の前端側に接続されたリフィール４０と、前記リフィール支持軸３０に環状に装着されて前記リフィール支持軸３０及び前記スライド駒２０を軸筒後方へ付勢するコイルバネ５０と、軸筒１０内でスライド駒２０及びリフィール支持軸３０を前後方向へ案内するガイド中駒６０と、軸筒１０内でガイド中駒６０に相対し回動する上り傾斜面７２ａ（図１１参照）をスライド駒２０に摺接させて該スライド駒２０を前進させる回転カム７０とを備え、前進した際のスライド駒２０を上り傾斜面７２ａの前端側の係止凹部７２ｃに係止して、リフィール４０前端の筆記部（ボールペンチップ４２）を突出状態に維持するように構成される。
【００１５】
軸筒１０は、前軸１１と、該前軸１１内の後部側に接続された支持筒１２と、該支持筒１２の後部側に回転自在に接続された後軸１３とから一体筒状に形成される。
【００１６】
前軸１１は、中心部を前後に貫通した略筒状に形成され、その前端側の部分を先細状に形成するとともに、最前端部に、リフィール４０を出没するための開口部１１ａを有する。
【００１７】
支持筒１２は、後半部側を後方へ突出した状態で、その前半部側を前軸１１内の後部側に挿入した略筒状の部材である。
この支持筒１２の前半部側は、前軸１１に対し、抜き差し可能且つ回転不能に嵌合している。例えば、軸筒１０内のリフィール４０を交換する際等に、支持筒１２が前軸１１に対し後方へ抜かれる。
また、支持筒１２の後半部側は、後軸１３の前端側に挿入され、後軸１３を回転可能に支持している。
すなわち、後軸１３は、支持筒１２の後半部側に支持されることで、前軸１１及び支持筒１２に対し回転可能である。この後軸１３の後端側の外周には、クリップ部１３ａが設けられる。また、後軸１３の後端側の内部には、回転カム７０が一体回転可能に嵌り合っている。
【００１８】
スライド駒２０は、回転カム７０に係合する係合部２１と、リフィール支持軸３０の後端側に嵌め合せられる嵌合凹部２２とを一体に具備して構成される（図３参照）。
【００１９】
係合部２１は、後方を頂部２１ａとした山形状に形成され、頂部２１ａ側の部分を回転カム７０の上り傾斜面７２ａ及び下り傾斜面７２ｂ（図１１参照）に滑らせて移動する。この係合部２１の周面部２１ｂは、後軸１３の内周面に摺接する。
【００２０】
嵌合凹部２２は、リフィール支持軸３０に対し略直交する方向から嵌り合う凹状に形成されている。
詳細に説明すれば、この嵌合凹部２２は、リフィール支持軸３０を挿入するための開口縁部２２ａと、該開口縁部２２ａから挿入されるリフィール支持軸３０の外周部（詳細には嵌合軸部３２ａ）に嵌り合う筒状凹部２２ｂとを有し、開口縁部２２ａが弾性的に拡げられてリフィール支持軸３０が開口縁部２２ａ内の筒状凹部２２ｂ内に挿入されるようにしてある
【００２１】
開口縁部２２ａは、リフィール支持軸３０の二つのリブ３２ｂ，３２ｂ（図４及び図５参照）のうちの一方に嵌り合うように、その幅寸法ｗ（図３参照）を設定している。
筒状凹部２２ｂは、開口縁部２２ａの奥側に設けられた略円筒面状の凹部である。この筒状凹部２２ｂの内径は、開口縁部２２ａの幅ｗよりも大きく設定される。
また、筒状凹部２２ｂの奥側の内壁面には、リフィール支持軸３０の二つのリブのうちの他方に嵌り合うように、凹部２２ｃが設けられる。
【００２２】
リフィール支持軸３０は、長尺円柱状の軸本体３０ａの前端側に、リフィール４０の後端側に接続されるリフィール接続部３１を有し、後端側に、スライド駒２０を嵌め合せるための駒接続部３２を有する（図４参照）。
【００２３】
リフィール接続部３１は、リフィール４０の後端側に挿入可能な円柱状に形成される。該リフィール接続部３１の外周面には、周方向に間隔を置いて縦リブ３１ａが設けられる。これら縦リブ３１ａは、リフィール４０内壁面に圧接される。
また、リフィール接続部３１の後端側には、環状鍔部３１ｂが設けられる。この環状鍔部３１ｂは、リフィール４０の後端部に当接する。
【００２４】
駒接続部３２は、スライド駒２０の筒状凹部２２ｂに嵌り合う嵌合軸部３２ａと、該嵌合軸部３２ａの外壁面から突出して前後方向へ延びる二つのリブ３２ｂ，３２ｂとを有する。なお、リブ３２ｂの他例としては、前後方向に対し交差する方向へ延びるリブや、図示例以外の形状のリブ等とすることも可能である。
【００２５】
嵌合軸部３２ａは、図４及び図５に示すように、リフィール支持軸３０の後端側を部分的に縮径することで形成された略軸状の部位である。
この嵌合軸部３２ａの外周部において、スライド駒２０への挿入方向に対する直交方向の両側には、平坦面部３２ａ１，３２ａ１（図５参照）が略平行に設けられる。これら平坦面部３２ａ１，３２ａ１は、嵌合軸部３２ａを、スライド駒２０の嵌合凹部２２内へ挿入する際の抵抗を軽減して、その挿入作業を容易にする。
【００２６】
二つのリブ３２ｂ，３２ｂは、嵌合軸部３２ａの外周部において、スライド駒２０に対する挿入方向側と、その反対側とにそれぞれ設けられる（図５参照）。一方のリブ３２ｂは、スライド駒２０内の開口縁部２２ａに嵌り合う。また、他方のリブ３２ｂは、スライド駒２０内の筒状凹部２２ｂ奥側の凹部２２ｃに嵌り合う。
なお、本実施の好ましい一例では、組付け時の方向性をなくして生産性を向上するために、前記のように、リブ３２ｂを二つ設けたが、他例として、前記凹部２２ｃに対応する一方のリブ３２ｂを省くとともに、凹部２２ｃを省くことも可能である。
【００２７】
リフィール４０は、長尺円筒状のインク収容管４１の前端側に、ボールペンチップ４２を接続してなるボールペンリフィールである。
【００２８】
コイルバネ５０は、金属製の圧縮コイルバネであり、リフィール支持軸３０における環状鍔部３１ｂよりも後側に環状に装着される。このコイルバネ５０の後端部は、リフィール支持軸３０後端側に装着されるスライド駒２０の前端部により受けられる。
【００２９】
そして、スライド駒２０とリフィール支持軸３０とコイルバネ５０とは、一体的な支持軸ユニット１として構成される（図１０参照）。
詳細に説明すれば、支持軸ユニット１は、リフィール支持軸３０における環状鍔部３１ｂよりも後側にコイルバネ５０が環状に装着され、同リフィール支持軸３０におけるコイルバネ５０よりも後側にスライド駒２０が嵌合されることで、分離しないように一体化される。
【００３０】
また、ガイド中駒６０は、後軸１３内の後部側に挿入された長尺状の部材である。このガイド中駒６０の前端側は、支持筒１２の後端側に固定される（図１参照）。また、同ガイド中駒６０は、後軸１３と一体的な回転カム７０に対し回転自在に嵌り合う。したがって、前軸１１に相対し後軸１３を回転させれば、後軸１３内では、ガイド中駒６０に相対し回転カム７０が回転することになる。
このガイド中駒６０の外周部には、軸筒軸方向に対し略直交する方向から支持軸ユニット１を挿入可能な凹状のガイド溝６１が複数設けられる。
また、このガイド中駒６０の後端側には、後方向きに係合突起６２が突出している（図６参照）。この係合突起６２は、回転カム７０に対し回転可能に嵌り合う。
そして、ガイド中駒６０におけるガイド溝６１よりも前側には、リフィール４０の側面に摺接してリフィール４０の進退を案内するリフィールガイド片６３が設けられる。
【００３１】
また、ガイド溝６１は、前後方向へわたって連続する溝本体６１ａと、該溝本体６１ａの前端側に位置する係止突起６１ｂとから構成される。
このガイド溝６１の後端部には、リフィール支持軸３０の後端部を受ける壁面状の受け部６１ａ１が設けられる。
また、ガイド溝６１の前方側は、支持軸ユニット１が挿入されるように開放している（図７参照）。
そして、このガイド溝６１は、支持軸ユニット１におけるリフィール接続部３１よりも後側に位置するとともにコイルバネ５０全体を含む部分を、軸筒軸方向に対し略直交する方向から溝本体６１ａ内に挿入して、スライド駒２０及びリフィール支持軸３０を進退可能に嵌め合わせるとともに、係止突起６１ｂによりコイルバネ５０の前端縁を係止する（図１０参照）。
【００３２】
溝本体６１ａは、側方に開口部を有する断面略コ字状の溝であり、前後方向へ長尺状に連続している（図６、図９及び図１０参照）。この溝本体６１ａは、スライド駒２０の嵌合凹部２２側の外面形状にならって形成され、図９に示す一例によれば、断面略矩形凹状に形成される。
【００３３】
係止突起６１ｂは、溝本体６１ａの前端側の内壁から溝内側へ突出する断面凹状の突起であり、その内部に、リフィール支持軸３０の軸本体３０ａを、遊びを有する状態で挿入する。この係止突起６１ｂの後端面は、コイルバネ５０の前端部に当接する。
【００３４】
ガイド溝６１内において、係止突起６１ｂを有する部分は、図７に示すように、開口縁側の寸法Ｂが、その奥側の寸法Ａ及び軸本体３０ａの外径よりも小さく設定される。
【００３５】
図１０に示すように、支持軸ユニット１をガイド中駒６０のガイド溝６１に挿入する際、治具等によってコイルバネ５０の前端側が収縮され、該コイルバネ５０の前端部が、係止突起６１ｂの後端面に係止されるとともに、ガイド溝６１における前記寸法Ｂの部分がリフィール支持軸３０により弾性的に押し広げられて、ガイド溝６１内に支持軸ユニット１が嵌め合せられる。なお、図１０によれば、右側のコイルバネ５０のみを収縮させた状態を示すが、左側のコイルバネ５０も同様にして収縮される。
そして、ガイド中駒６０と、二つの支持軸ユニット１，１とは、一体ユニット状に構成される。
【００３６】
また、係合突起６２（図１０参照）は、ガイド中駒６０において、複数のガイド溝６１よりも後側にて後方へ突出する突起である。この係合突起６２の基端側には、その前部側よりも縮径された環状の括れ部６２ａが設けられる。この括れ部６２ａには、回転カム７０が環状に嵌り合う。回転カム７０は、括れ部６２ａの外周を自在に回転する。
【００３７】
また、リフィールガイド片６３は、ガイド中駒６０において、係止突起６１ｂよりも前方へ突出する突片である。このリフィールガイド片６３は、リフィール支持軸３０の前端側に嵌合されるリフィール４０に対し、径方向の両側から近接又は接触するように一対に設けられる（図７参照）。このリフィールガイド片６３は、リフィール４０をリフィール支持軸３０に着脱する際や、リフィール４０を進退動作させる際に、当該リフィール４０を前後方向へ案内する。
なお、他例としては、このリフィールガイド片６３を省くことも可能である。
【００３８】
また、回転カム７０は、略円筒状の筒部７１と、該筒部７１前端から略山形状に突出するカム本体７２とから構成され（図１１及び図１２参照）、ガイド中駒６０に相対し回転するように係合している。
【００３９】
筒部７１は、後軸１３の内周面にならう略円筒状に形成される。この筒部７１の内壁面には、径内方向へ突出する環状支持突起７１ａと、該環状支持突起７１ａの後側の雌ネジ部７１ｂとが設けられる。
環状支持突起７１ａには、ガイド中駒６０が回転自在に嵌り合う。
雌ネジ部７１ｂには、尾栓１４（図１参照）が螺合接続される。該尾栓１４は、回転カム７０後端部との間に、クリップ部１３ａの基部を挟持する。
【００４０】
カム本体７２は、図１１に示すように、回転方向の一方側でスライド駒２０を斜め前方へ滑らせる上り傾斜面７２ａと、回転方向の他方側でスライド駒２０を斜め後方へ滑らせる下り傾斜面７２ｂと、これら上り傾斜面７２ａと下り傾斜面７２ｂとの間でスライド駒２０に嵌り合う係止凹部７２ｃと、下り傾斜面７２ｂの後端から軸方向に沿って後方へ延設された回転規制面７２ｄとを有する。
【００４１】
このカム本体７２によれば、回転カム７０がガイド中駒６０に相対し一方向へ回転した際、スライド駒２０は、上り傾斜面７２ａを滑って斜め前方へ移動した後、係止凹部７２ｃに係止される。そして、回転カム７０がさらに前記一方向へ回転すると、スライド駒２０は、係止凹部７２ｃから外れて、下り傾斜面７２ｂを滑って斜め後方へ移動した後、回転規制面７２ｄに沿って後方へ移動する。
また、回転カム７０を逆方向へ回転しようとした場合には、スライド駒２０が回転規制面７２ｄに対し略垂直に当接するため、この逆方向への回転を阻むことができる。
【００４２】
次に、上記構成の回転繰出し式筆記具Ａにおける製造方法上の特徴について説明する。
支持軸ユニット１を組み立てる際、先ず、リフィール支持軸３０における環状鍔部３１ｂよりも後側の部分に、その後方側からコイルバネ５０が環状に装着される。
次に、同リフィール支持軸３０におけるコイルバネ５０よりも後側において、リフィール支持軸３０に対し、略直交する方向からスライド駒２０が嵌合される（図４参照）。
詳細に説明すれば、スライド駒２０の嵌合凹部２２へリフィール支持軸３０の駒接続部３２が挿入されるようにして嵌め合せられる（図５参照）。
この際、スライド駒２０の嵌合凹部２２は、駒接続部３２の挿入により弾性的に拡がる。そして、駒接続部３２の嵌合軸部３２ａが、嵌合凹部２２の筒状凹部２２ｂに嵌り合い、同時に、嵌合軸部３２ａの一方のリブ３２ｂがスライド駒２０の凹部２２ｃに嵌り合い、さらに、嵌合軸部３２ａの他方のリブ３２ｂが嵌合凹部２２の開口縁部２２ａに嵌り合う。
【００４３】
したがって、スライド駒２０が、回転カム７０から受ける押圧力等により、開口縁部２２ａ間を狭めるようにして変形するようなことを、リブ３２ｂにより阻むことができる。
しかも、リフィール支持軸３０に対し直交方向からスライド駒２０を嵌め合せるようにしているため、例えば、リフィール支持軸を軸方向後方へ移動してスライド駒に嵌め合せるようにした従来技術に比べて、組立性が良好な上、細身な形状にすることができる。
【００４４】
また、ガイド中駒６０に対し支持軸ユニット１を組付ける際には、図１０に示すように、ガイド中駒６０のガイド溝６１に対し、軸筒軸方向に対する略直交方向から支持軸ユニット１を挿入すればよく、組立性が良好である。
しかも、例えば、先にガイド中駒に装着したスライド駒に対し軸筒前方側からリフィール支持軸を挿入しようとした従来技術等では、ガイド中駒内にスライド駒が嵌合等のために弾性的に変形する空間を確保する必要があるが、本願発明では、前記空間を不要にできるので、より細身な形状にすることができる。
また、ガイド中駒６０と、二つの支持軸ユニット１，１とは、容易に分離することのないように、一体ユニット状に構成されるため（図１０参照）、組立性が良好な上、部品管理も容易である。
【００４５】
また、リフィール４０交換のために、リフィール４０がリフィール支持軸３０から前方へ外される際、リフィール支持軸３０にはスライド駒２０から抜ける方向の力が作用するが、リフィール支持軸３０の嵌合軸部３２ａを構成する凹状部分の後端壁（図４参照）に、スライド駒２０の後端部が当接するため、スライド駒２０からリフィール支持軸３０が引き抜けてしまうようなことを防ぐことができる。
【００４６】
なお、図示例の回転繰出し式筆記具Ａによれば、２本のリフィール４０を選択的に出没させる態様としたが、他例としては、１本のリフィール４０を出没させる態様や、３本以上のリフィール４０を出没させる態様とすることも可能である。
【００４７】
また、図示例によれば、複数のリフィール４０を全てボールペン用リフィールとしたが、他例としては、複数のリフィール４０を、ボールペン用リフィールや、シャープペンシル用リフィール、入力ペン等の組み合わせとすることも可能である。
【００４８】
また、図示例によれば、カム本体７２を、回転規制面７２ｄを有する左右非対称形状にし、一方向のみの回転操作を可能にすることで、回転カム７０全体を細身に形成したが、他例としては、カム本体７２を左右対称の山形状に形成して双方向へ回転操作可能な態様とすることも可能である。
【符号の説明】
【００４９】
１：支持軸ユニット
１０：軸筒
２０：スライド駒
２１：係合部
２２：嵌合凹部
２２ａ：開口縁部
２２ｂ：筒状凹部
３０：リフィール支持軸
３１：リフィール接続部
３２：駒接続部
３２ａ：嵌合軸部
３２ｂ：リブ
４０：リフィール
５０：コイルバネ
６０：ガイド中駒
６１：ガイド溝
６１ｂ：係止突起
７０：回転カム
７２：カム本体
７２ｃ：係止凹部
Ａ：回転繰出し式筆記具
【図１】
0006533672.tif 000002
【図２】
0006533672.tif 000003
【図３】
0006533672.tif 000004
【図４】
0006533672.tif 000005
【図５】
0006533672.tif 000006
【図６】
0006533672.tif 000007
【図７】
0006533672.tif 000008
【図８】
0006533672.tif 000009
【図９】
0006533672.tif 000010
【図１０】
0006533672.tif 000011
【図１１】
0006533672.tif 000012
【図１２】
0006533672.tif 000013